(57)【要約】【課題】放射される複数のレーザー光に発生するコマ収差が適切に制御された発光装置を提供する。【解決手段】本発明では、像高特性に劣るＣＤの読み出しまたは書き込みの特性を向上するために、ＣＤ用の第３レーザー光を放射する第３発光源２８を対物レンズの光軸上に配置している。この様にすることで、第３発光源２８から放射される第３レーザー光は、対物レンズの光軸上を通過するので、第３レーザー光にコマ収差が発生しない。更に本発明では、ＤＶＤ用の第２レーザー光を放射する第２発光源２６と、ＢＤ用の第１レーザー光を放射する第１発光源２４とを、第３発光源２８を挟む様に配置している。この様にすることで、第１レーザー光のコマ収差の位相進行方向と、第２レーザー光のコマ収差の位相進行方法とが一致し、どちらか一方のコマ収差を調整することで、他方のコマ収差の調整を行うことが可能となる。【選択図】図１
2011141937.tif 000002
【特許請求の範囲】
【請求項１】
対物レンズを介して光記録媒体に対して読み取りあるいは書き込みを行う複数のレーザー光を放射する発光装置であり、
第１レーザー光を放射する第１発光源と、
前記第１レーザー光よりも波長が長い第２レーザー光を放射する第２発光源と、
前記第１レーザー光および前記第２レーザー光よりも波長が長い第３レーザー光を放射する第３発光源と、を備え、
前記第３発光源を前記対物レンズの光軸に最も接近して配置し、前記第１発光源を前記第３発光源の一方側に配置すると共に、前記第２発光源を前記第３発光源の他方側に配置することを特徴とする発光装置。
【請求項２】
前記第１発光源は第１発光チップに備えられ、
前記第２発光源および前記第３発光源は前記第１発光チップとは別体の第２発光チップに備えられ、
前記第１発光チップと前記第２発光チップとは、前記第２発光チップの前記第３発光源に前記第１発光チップが接近するように、同一実装面上に実装されることを特徴とする請求項１に記載の発光装置。
【請求項３】
前記第１発光源と前記第２発光源とは、前記第３発光源を対称中心として対称的に配置されることを特徴とする請求項２に記載の発光装置。
【請求項４】
前記第１レーザー光は青紫色波長帯４００ｎｍ〜４２０ｎｍであり、
前記第２レーザー光は赤色波長帯６４５ｎｍ〜６７５ｎｍであり、
前記第３レーザー光は赤外波長帯７６５ｎｍ〜８０５ｎｍであることを特徴とする請求項１に記載の発光装置。
【請求項５】
光記録媒体にレーザー光を照射し、前記光記録媒体で反射する前記レーザー光を検出する光ピックアップ装置であり、
請求項１乃至請求項４の何れかに記載の発光装置と、
前記光記録媒体で反射した前記第１レーザー光を受光する第１受光部と、
前記光記録媒体で反射した前記第２レーザー光および前記第３レーザー光を受光する第２受光部と、
を備えたことを特徴とする光ピックアップ装置。
【請求項６】
前記第１レーザー光、前記第２レーザー光および前記第３レーザー光の各波長に対応すると共に、前記第２レーザー光に発生するコマ収差の位相方向と、前記第３レーザー光に発生するコマ収差の位相方向とが逆相になる特性の３波長互換対物レンズ
を備えたことを特徴とする請求項５に記載の光ピックアップ装置。
【請求項７】
第１レーザー光を放射する第１発光チップと、前記第２レーザー光とは波長が異なる第２レーザー光および第３レーザー光を放射する第２発光チップとを備えた発光部の位置決めを行う第１工程と、
第１受光領域と第２受光領域とを有する第１受光部を用意し、前記第２レーザー光が前記第１受光領域の中央部に照射されると共に、前記第３レーザー光が前記第２受光領域の中央部に照射されるように前記第１受光部の位置決めを行う第２工程と、
第３受光領域を備えた第２受光部を前記第１受光部とは別体で用意し、前記第１レーザー光が前記第３受光領域の中央部に照射されるように、前記第２受光部の位置決めを行う第３工程と、
を備えたことを特徴とする光ピックアップ装置の製造方法。
【請求項８】
前記第２工程は、
前記発光部から前記第２レーザー光を放射し、前記第２レーザー光のスポット形状が円形となるように、前記第２レーザー光が進行する方向に対する前記第１受光部の位置を決定すると共に、前記第２レーザー光が前記第１受光領域の中央に照射されるように、前記第２レーザー光の進行方向に直交する方向に対する前記第１受光部の位置を決定する工程と、
前記発光部から前記第３レーザー光を放射し、前記第２受光領域の中心に前記第３レーザー光が照射されるように、前記第１受光領域の中心を回転中心として前記第１受光部を回転させて位置決めを行う工程と、
を含むことを特徴とする請求項７に記載の光ピックアップ装置の製造方法。
【請求項９】
前記第３工程では、前記発光部から前記第１レーザー光を放射し、前記第１レーザー光のスポット形状が円形となるように、前記第１レーザー光が進行する方向に対する前記第２受光部の位置を決定すると共に、前記第１レーザー光が前記第３受光領域の中央に照射されるように、前記第１レーザー光の進行方向に直交する方向に対する前記第２受光部の位置を決定することを特徴とする請求項８に記載の光ピックアップ装置の製造方法。
【発明の詳細な説明】
【技術分野】
【０００１】
本発明は複数の光記録媒体に対してレーザー光を照射する発光装置に関する。更に本発明は、この様な発光装置を備えた光ピックアップ装置およびその製造方法に関する。
【背景技術】
【０００２】
複数の光記録媒体に対応する光ピックアップ装置にあっては、小型／軽量化等を目的として様々な工夫がなされており、例えば多数の波長のレーザーに対して互換性を備える対物レンズが採用されている。また、この種の光ピックアップ装置では、複数の波長のレーザーダイオードを１つのパッケージとしたレーザー光源を採用するものが存在する。
【０００３】
ここで、このような構成からなる光ピックアップ装置においては、各発光素子の発光点の双方を同時に対物レンズの光軸上に配置することができず、各波長のレーザー光の双方についての対物レンズのコマ収差をどのようにして抑制するかが問題となる（例えば特許文献１を参照）。
【先行技術文献】
【特許文献】
【０００４】
【特許文献１】特開２００９−１７００９１号公報
【発明の概要】
【発明が解決しようとする課題】
【０００５】
上記した構成の光ピックアップ装置においては、各レーザー光を放射する発光点の位置が相違し、所定の光記録媒体、通常高密度の光記録媒体に対する光学特性を重視して設計されている。従って、対物レンズは各波長のレーザーに対する像高特性が異なっている。
【０００６】
具体的には、ＣＤ規格の光ディスクに用いられるレーザー光（ＣＤ用レーザー光）と、ＤＶＤ規格の光ディスクに用いられるレーザー光（ＤＶＤ用レーザー光）と、ＢＤ規格の光ディスクに用いられるレーザー光（ＢＤ用レーザー光）とを比較した場合、情報記録層を覆うカバー層の厚みが他のディスクに比べて厚いことに起因してＣＤ用レーザー光の像高特性が最も悪くなる。ここで、像高特性とは、レーザー光が対物レンズに対して傾斜して入射した際に発生するコマ収差量の度合いを示す特性である。
【０００７】
このようにＣＤ用レーザー光の像高特性が悪くなると、対物レンズにより合焦されるレーザー光を用いて、ＣＤの読み取りまたは書き取りを行う際にコマ収差を適切に制御することが困難でありスキュウ特性が劣化する問題があった。
【０００８】
更にまた、ＣＤ用レーザー光、ＤＶＤ用レーザー光およびＢＤ用レーザー光が対物レンズに入射するとそれぞれにコマ収差が発生するが、ＤＶＤ用レーザー光のコマ収差の位相が進行する方向は、ＣＤ用レーザー光およびＢＤ用レーザー光とは逆方向である。従って、ＣＤ用レーザー光またはＢＤ用レーザー光のコマ収差が最小となるように調節すると、ＤＶＤ用レーザー光のコマ収差が大きくなりスキュウ特性が劣化してしまう問題がある。
【０００９】
本発明は、上述した問題を鑑みて成されたものである。本発明の主な目的は、放射される複数のレーザー光に発生するコマ収差が適切に制御された発光装置を提供することにある。本発明の更なる目的は、この様な発光装置を備えた光ピックアップ装置およびその製造方法を提供することにある。
【課題を解決するための手段】
【００１０】
本発明は、対物レンズを介して光記録媒体に対して読み取りあるいは書き込みを行う複数のレーザー光を放射する発光装置であり、第１レーザー光を放射する第１発光源と、前記第１レーザー光よりも波長が長い第２レーザー光を放射する第２発光源と、前記第１レーザー光および前記第２レーザー光よりも波長が長い第３レーザー光を放射する第３発光源と、を備え、前記第３発光源を前記対物レンズの光軸に最も接近して配置し、前記第１発光源を前記第３発光源の一方側に配置すると共に、前記第２発光源を前記第３発光源の他方側に配置することを特徴とする。
【００１１】
更に本発明は、光記録媒体にレーザー光を照射し、前記光記録媒体で反射する前記レーザー光を検出する光ピックアップ装置であり、上記構成の発光装置と、前記光記録媒体で反射した前記第１レーザー光を受光する第１受光部と、前記光記録媒体で反射した前記第２レーザー光および前記第３レーザー光を受光する第２受光部と、を備えたことを特徴とする。
【００１２】
更に、本発明の光ピックアップ装置の製造方法は、第１レーザー光を放射する第１発光チップと、前記第２レーザー光とは波長が異なる第２レーザー光および第３レーザー光を放射する第２発光チップとを備えた発光部の位置決めを行う第１工程と、第１受光領域と第２受光領域とを有する第１受光部を用意し、前記第２レーザー光が前記第１受光領域の中央部に照射されると共に、前記第３レーザー光が前記第２受光領域の中央部に照射されるように前記第１受光部の位置決めを行う第２工程と、第３受光領域を備えた第２受光部を前記第１受光部とは別体で用意し、前記第１レーザー光が前記第３受光領域の中央部に照射されるように、前記第２受光部の位置決めを行う第３工程と、を備えたことを特徴とする。
【発明の効果】
【００１３】
本発明によれば、第１レーザー光と、波長が長い第２レーザー光と、これらよりも更に波長が長い第３レーザー光とを放射する発光装置に於いて、最も像高特性に不利なディスクに対応する第３レーザー光を放射する第３発光源を、対物レンズの光軸上に配置している。この様にすることで、像高特性に劣る第３レーザー光に発生するコマ収差の量が最小限に留められるので、他の２つのレーザー光にある程度のコマ収差が発生したとしても、発光装置全体のスキュウ特性を適切なものとすることが出来る。
【００１４】
更に本発明によれば、第１レーザー光を放射する第１発光源を第３発光源の一方側に配置し、第２レーザー光を放射する第２発光源を第３発光源の他方側に配置している。この様にすることで、第２レーザー光に発生するコマ収差の位相方向と、第３レーザー光に発生するコマ収差の位相方向とが逆相になる特性の３波長互換対物レンズの場合、対物レンズを第１レーザー光が通過した際に発生するコマ収差の位相方向と、第２レーザー光のコマ収差の位相の進行方向とが一致する。従って、第１レーザー光および第２レーザー光の何れか一方のコマ収差が最小となるように、対物レンズと入射レーザー光との相対的な傾きを調整することで、両方のコマ収差を少なくする補正が行える。
【００１５】
更にまた、第１レーザー光を第１受光部にて受光し、第２レーザー光および第３レーザー光を、第１受光部とは別体の第２受光部にて受光している。この様にすることで、第１レーザー光を放射する第１発光チップと、第２レーザー光および第３レーザー光を放射する第２発光チップとの相対的な位置関係に誤差が発生しても、製造工程の途中段階にて両受光部の位置を調整することにより、この誤差に伴う光ピックアップの誤作動が防止される。
【図面の簡単な説明】
【００１６】
【図１】本発明の発光装置を示す図であり、（Ａ）は断面図であり、（Ｂ）は発光チップが実装される部分を拡大して示す図である。
【図２】ＢＤ、ＤＶＤ、ＣＤに適用される各レーザー光に発生するコマ収差の量と、光軸の傾きとの相関関係を示すグラフである。
【図３】（Ａ）および（Ｂ）はＢＤに用いられる第１レーザー光に発生するコマ収差を示す図であり、（Ｃ）および（Ｄ）はＤＶＤに用いられる第２レーザー光に発生するコマ収差を示す図であり、（Ｅ）および（Ｆ）はＣＤに用いられる第３レーザー光に発生するコマ収差を示す図である。
【図４】本発明の光ピックアップ装置の構造を示す図である。
【図５】本発明の光ピックアップ装置の製造方法を示すフローチャートである。
【図６】本発明の光ピックアップ装置の製造方法を示す図であり、（Ａ）は製造される光ピックアップ装置を全体的に示す図であり、（Ｂ）は本工程で位置調整が行われる第２ＰＤＩＣを示す図である。
【図７】本発明の光ピックアップ装置の製造方法を示す図であり、（Ａ）は製造される光ピックアップ装置を全体的に示す図であり、（Ｂ）は本工程で位置調整が行われる第２ＰＤＩＣを示す図である。
【図８】本発明の光ピックアップ装置の製造方法を示す図であり、（Ａ）は製造される光ピックアップ装置を全体的に示す図であり、（Ｂ）は本工程で位置調整が行われる第１ＰＤＩＣを示す図である。
【発明を実施するための形態】
【００１７】
＜第１の実施の形態：発光装置＞
図１を参照して、本形態の発光装置１０の構成を説明する。図１（Ａ）は発光装置１０を側面から見た断面図であり、図１（Ｂ）は発光装置１０にて各発光チップが実装される部分を紙面上にて上方から見た図である。
【００１８】
ここで、本形態では、互いに直交するＸ軸、Ｙ軸およびＺ軸を用いて説明を行う。Ｙ軸は発光装置１０から放出されるレーザー光が進行する方向に平行な軸であり、Ｘ軸は第１発光チップ２０および第２発光チップ２２が整列する方向に対して平行な軸である。また、Ｚ軸は紙面を垂直に突き抜ける方向の軸であり、両発光チップに備えられる複数の発光点は、Ｚ−Ｘ平面上に配置される。
【００１９】
図１（Ａ）を参照して、発光装置１０はＣＡＮタイプのパッケージであり、略円盤形状の基板部１２と、基板部１２の上面に固着された板状のステム１６と、ステム１６に実装された２つの発光チップ（第１発光チップ２０、第２発光チップ２２）と、これらの発光チップを被覆する被覆部１４と、発光チップと電気的に接続されて外部に導出する端子部１８とを主要に備えている。ここでは発光装置１０はＣＡＮタイプの構成であるが、発光装置１０の構成としてリードフレームタイプが採用されても良い。
【００２０】
発光装置１０は、端子部１８を経由して外部から供給される電力に基づいて、第１発光チップ２０または第２発光チップ２２から所定の波長のレーザー光を放射する。放射されるレーザー光は、被覆部１４の上部に設けた開口部を経由して外部に放射される。
【００２１】
更に発光装置１０からは、各ディスクの読み出し又は書き込みの為に用いられる波長が異なる３種類のレーザー光が放射される。具体的には、ＢＤ（Ｂｌｕ−ｒａｙ  Ｄｉｓｃ）規格またはＨＤ−ＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｃ）規格のディスク（光記録媒体）の読み取りあるいは書き込みに用いられる第１レーザー光、ＤＶＤ（Ｄｉｇｉｔａｌ  Ｖｅｒｓａｔｉｌｅ  Ｄｉｓｃ）規格のディスクに用いられる第２レーザー光、ＣＤ（Ｃｏｍｐａｃｔ  Ｄｉｓｃ）規格のディスクに用いられる第３レーザー光が放射される。
【００２２】
ここで、第１レーザー光は青紫色波長帯４００ｎｍ〜４２０ｎｍであり、第２レーザー光は赤色波長帯６４５ｎｍ〜６７５ｎｍであり、第３レーザー光は赤外波長帯７６５ｎｍ〜８０５ｎｍである。
【００２３】
図１（Ｂ）を参照して、ステム１６の主面には、第１発光チップ２０と、第２発光チップ２２とが互いに所定距離で離間して実装されている。
【００２４】
第１発光チップ２０は、セレン化亜鉛または窒化ガリウム等の半導体を材料とするレーザーダイオードであり、導電性ペースト等の導電性接着材を介してステム１６の上面に固着されている。第１発光チップ２０の端面には第１発光源２４が設けられており、この第１発光源２４から第１レーザー光が放射される。
【００２５】
第２発光チップ２２は、シリコン等の半導体を材料とするレーザーダイオードであり、第１発光チップ２０と同様に導電性接着材を用いて、ステム１６の上面の上面に固着されている。第１発光チップ２０の端面には、２つの発光源（第２発光源２６、第３発光源２８）が設けられている。第２発光源２６からは第２レーザー光が放射され、第３発光源２８からは第３レーザー光が放射される。第２発光源２６と第３発光源２８との距離Ｌ１０は１１０μｍが一般的な設計値であり、製造時の誤差（±１μｍ）が考慮されると距離Ｌ１０は例えば１０９μｍ以上１１１μｍ以下となる。第１発光源２４と第２発光源２６とは同一の第１発光チップ２０に作り込まれるので、両者の距離Ｌ１０は精度が非常に高い。
【００２６】
第１発光チップ２０および第２発光チップ２２は、各々の発光源が設けられた端面がＹ方向を向いた状態で、ステム１６の主面に固着されている。そして、第１発光源２４が設けられる第１発光チップ２０の端面と、第２発光源２６および第３発光源２８が設けられる第２発光チップ２２の端面は、同一平面上に配置されている。この様にすることで、発光装置１０に内蔵される各発光源から放出される各レーザー光の条件（コマ収差等の発生量）が均等化される。
【００２７】
第１発光チップ２０は第２発光チップ２２の第３発光源２８側に隣接される。第１発光チップ２０に設けられる第１発光源２４と、第２発光チップ２２の第３発光源２８との距離Ｌ１２の設計値は、Ｌ１０と同様の１１０μｍである。しかしながら、この精度は両発光チップの固着に用いられるボンダーの精度に従うので、前工程（拡散工程）の精度による距離Ｌ１０よりも劣り、±２０μｍの誤差を含む。具体的には、距離Ｌ１２は９０μｍ以上１３０μｍ以下となる。この様に、距離Ｌ１２の精度が悪いと、各発光源から放射される各レーザー光を受光するＰＤＩＣをどのように配置するかが問題となるが、この問題の対処方法は図４以降の図を参照して後述する。
【００２８】
図２を参照して、上記した各発光源から放射されるレーザー光の像高特性に関して説明する。この図に示すグラフの横軸は対物レンズの光軸に対してレーザー光が傾く角度を示し、縦軸は傾きに伴い発生するコマ収差量を示している。ここで、像高特性とは光軸の傾きに伴い発生するコマ収差量を示し、このコマ収差量が少なければ像高特性に優れる一方、コマ収差量が多ければ像高特性は劣ることとなる。
【００２９】
このグラフを参照して明らかなように、コマ収差量は、ＣＤの読み出しまたは書き込みに用いられる第３レーザー光が最も多く、次に多いのはＢＤに用いられる第１レーザー光であり、ＤＶＤに用いられる第２レーザー光は最もコマ収差量が少ない。このことから、ＣＤの像高特性が最も悪いことが読み取れる。
【００３０】
本形態では、図１（Ｂ）を参照して、発光装置１０に３つのディスク規格（ＢＤ、ＤＶＤ、ＣＤ）に即したレーザー光を放射する３つの発光源が内蔵され、１つの対物レンズでこれらの３つの発光源から放射されたレーザー光をディスクの信号記録面に合焦させている。従って、３つの発光源の何れか１つを対物レンズの光軸上に配置すると、他の２つの発光源は光軸上からずれることとなる。そして、この他の２つの発光源から放射されたレーザー光は、傾斜して対物レンズに入射することでコマ収差が発生する。
【００３１】
この場合、例えば、ＢＤ用の第１レーザー光を発生する第１発光源２４を光軸上に配置し、ＤＶＤ用の第２発光源２６およびＣＤ用の第３発光源２８を光軸からずらして配置すると、ＣＤ用の第３発光源２８から放射される第３レーザー光に大きなコマ収差が発生する。従って、発光装置１０から発光される第３レーザー光を用いてＣＤの読み出しまたは書き込みを行う際に特性が劣化する。
【００３２】
本形態では、像高特性に劣るＣＤの読み出しまたは書き込みの特性を確保するために、ＣＤ用の第３レーザー光を放射する第３発光源２８を、対物レンズの光軸上に配置している。この様にすることで、対物レンズ自体にコマ収差発生要因を有していない理想的な対物レンズを想定した場合、トラッキング駆動させずに対物レンズが初期位置にあると、第３発光源２８から放射される第３レーザー光は、対物レンズの光軸上を通過するので、第３レーザー光にコマ収差が発生しない。また、発光装置１０を光ピックアップ装置に位置固定する際に、発光装置１０と対物レンズとの間に相対的な位置誤差が生じたとしても、第３発光源２８と対物レンズの光軸とのズレは、この位置誤差の程度に納められるので、この誤差に起因して発生するコマ収差量の量は、装置全体の特性に悪影響を与えない程度の僅かなものとなる。
【００３３】
図３を参照して、各レーザー光が対物レンズを通過する際に発生するコマ収差の特性を説明する。ここでは、第１レーザー光、第２レーザー光および第３レーザー光を、各波長のレーザー光に対応する３波長互換に設計された一例の対物レンズに対して同じ傾斜角で入射させ、対物レンズを透過した各レーザー光に発生するコマ収差量を計測した。
【００３４】
図３（Ａ）はＢＤの読み出し又は書き込みに用いられる第１レーザー光２５が対物レンズに傾斜して入射する状況を示す断面図であり、図３（Ｂ）は第１レーザー光２５に発生するコマ収差の位相方向を示すグラフである。図３（Ｃ）はＤＶＤに用いられる第２レーザー光が対物レンズに入射する状況を示す図であり、図３（Ｄ）は第２レーザー光に発生するコマ収差の位相方向を示すグラフである。図３（Ｅ）はＣＤに用いられる第３レーザー光２９が対物レンズに入射する状況を示す断面図であり、図３（Ｆ）は第３レーザー光に発生するコマ収差の位相方向を示すグラフである。ここで、対物レンズの光軸は、図３（Ａ）等にて一点鎖線にて示されている。また、図３（Ｂ）等に示すグラフの横軸はレーザー光が照射される場所を示し、縦軸はその箇所に照射されるレーザー光の相対的な強度を示している。
【００３５】
ここで、コマ収差とは、対物レンズの光軸に近い部分を通過したレーザー光と、光軸から遠い部分を通過したレーザー光の焦点がずれる現象を示しており、コマ収差量とはこのずれる量のことである。また、コマ収差は、図３（Ａ）等に示すようにレーザー光が対物レンズの光軸に傾斜して入射する際に発生し、光軸上を通過するレーザー光には基本的にはコマ収差は発生しない。
【００３６】
ところで、実際の対物レンズの場合、対物レンズ自体の成型精度、歪み、あるいはレンズホルダーへの設置の調整精度により発生するコマ収差があるので、このコマ収差と対物レンズの光軸に傾斜してレーザー光が入射することにより発生するコマ収差とが加わる。
【００３７】
図３において、各レーザー光に発生するコマ収差量を計測した対物レンズの場合、ＢＤ用の第１レーザー光２５が対物レンズに傾斜して入射すると、図３（Ａ）および図３（Ｂ）に示されるように、発生するコマ収差の位相は「マイナス側」に進行している。
【００３８】
ＤＶＤ用の第２レーザー光２７が対物レンズに傾斜して入射すると、図３（Ｃ）および図３（Ｄ）に示されるように、コマ収差量の位相は「プラス側」に進行している。即ち、第２レーザー光に発生するコマ収差の位相の進行方向は、第１レーザー光とは逆方向である。
【００３９】
ＣＤ用の第３レーザー光２９が対物レンズに傾斜して入射すると、図３（Ｅ）および図３（Ｆ）に示されるように、マイナス側に位相進行するコマ収差が発生する。即ち、第３レーザー光２９に発生するコマ収差の位相が進行する方向は、第１レーザー光２５と同じであり、第２レーザー光２７の逆である。
【００４０】
上記のことから、例えば、図１（Ｂ）を参照して、第１発光源２４、第２発光源２６および第３発光源２８を不規則に配置し、ＢＤ用の第１発光源２４のコマ収差が最小となるように対物レンズ（不図示）と発光装置１０との相対的位置関係を調整した場合、ＤＶＤ用の第２発光源２６から発光される第２レーザー光に発生するコマ収差が大きくなってしまう。この原因は、上記したように、ＢＤ用の第１レーザー光と、ＤＶＤ用の第２レーザー光とでは、コマ収差の位相が進行する方向が異なるからである。一方、ＤＶＤ用の第２発光源２６から発光される第２レーザー光のコマ収差が最小となるように位置調整を行うと、ＢＤ用の第１発光源２４から放射される第１レーザー光のコマ収差量が大きくなる。
【００４１】
本形態では、コマ収差を全体的にバランス良く低減させるために、ＣＤ用の第３発光源２８を光軸上の中央に配置し、更に、放射されるレーザー光のコマ収差の位相進行方向が互いに逆である第２発光源２６および第１発光源２４を、第３発光源２８を挟む位置に配置している。具体的には、図１（Ｂ）を参照して、第１発光源２４を第３発光源２８の右側に配置し、第２発光源２６を第３発光源２８の左側に配置している。この様な配置は、第１発光源２４を備えた第１発光チップ２０と、第２発光源２６および第３発光源２８を備えた第２発光チップ２２とを隣設することで実現される。
【００４２】
更に本形態では、第３発光源２８を中心としてＸ方向に対して第２発光源２６と第１発光源２４とが対照的に配置されている。具体的には、第１発光源２４はＸ方向に対して第３発光源２８からＬ１２（１１０μｍ）離間しており、第２発光源２６はＸ方向に対して第３発光源２８からＬ１０（１１０μｍ）離間している。尚、対照的とは厳密な対称のみではなく、数十μｍ程度（例えば±２０μｍ）の製造誤差を含む対照的な位置に配置されることも含む。
【００４３】
このことにより、第１発光源２４から放射される第１レーザー光と、第２発光源２６から放射される第２レーザー光２７とが、両レーザー光の延長線上に於いてクロスする方向（逆方向）に射出されるようになり、結果的に両レーザーのコマ収差の位相進行方向が同じ方向となる。
【００４４】
従って、発光装置１０を光ピックアップ装置に備え付ける工程に於いて、ＢＤ用の第１発光源２４から放射される第１レーザー光のコマ収差量が最小となるように、発光装置１０と対物レンズの角度および位置を調整することで、同時に、ＤＶＤ用である第２発光源２６から発生する第２レーザー光のコマ収差も、小さくなるように補正される。なお、ＣＤ用の第３発光源２８は対物レンズの光軸上に配置されるので、第３発光源２８から放射される第３レーザー光に含まれるコマ収差量が極めて少ない。
【００４５】
ここで、図１（Ｂ）を参照して、上記説明では、第２発光源２６と第１発光源２４とは第３発光源２８を対称中心として対称的に配置されていたが、必ずしも両者は対称的に配置される必要はない。即ち、上記した距離Ｌ１０と距離Ｌ１２とが相違しても、両発光源が第３発光源２８を挟むように配置されることにより、上記した効果を奏することが可能である。
【００４６】
＜第２の実施の形態：光ピックアップ装置＞
本形態では、図４を参照して、第１の実施の形態で説明した発光装置１０を含む光ピックアップ装置３０の構造を説明する。
【００４７】
光ピックアップ装置３０は、概略的には、回転するディスク４８（光記録媒体）にレーザー光を照射し、ディスク４８で反射されたレーザー光を検出する装置であり、ディスク再生装置等の情報記録再生装置に実装されて用いられる。
【００４８】
更に、光ピックアップ装置３０は、３種類の波長が異なるレーザー光を放出する発光装置１０と、ＢＤ規格のレーザー光を検出する第１ＰＤＩＣ４２と、ＣＤ規格およびＤＶＤ規格のレーザー光を検出する第２ＰＤＩＣ４４と、これらの間の光路に配置された各種光学素子とを主要に備えている。また、この図に示す各光学素子は、マグネシウム等を射出成形したハウジングに備えられる。尚、ＰＤはPhoto Detector、すなわち光検出器を略している。
【００４９】
図１（Ｂ）を参照して説明したように、本形態では、発光装置１０の内部に２つの発光素子（第１発光チップ２０および第２発光チップ２２）がハイブリッドに備えられている。そして、本形態では、第１発光チップ２０から放射されたレーザー光を第１ＰＤＩＣ４２にて検出し、第２発光チップ２２から放射されたレーザー光を第２ＰＤＩＣ４４にて検出している。即ち、光ピックアップ装置３０は、発光装置１０から放射されたＢＤ規格のレーザー光が通過する第１光学系と、発光装置１０から放射されたＣＤ規格およびＤＶＤ規格のレーザー光が通過する第２光学系とを含むこととなる。
【００５０】
光ピックアップ装置３０を構成する各素子の詳細を以下にて説明する。
【００５１】
発光装置１０は、第１の実施の形態にて上記した通りであり、ＢＤ規格、ＤＶＤ規格およびＣＤ規格のディスクに対して情報の記録又は再生を行うための３つのレーザー光（第１レーザー光、第２レーザー光および第３レーザー光）を放射させる。
【００５２】
回折格子３１は、発光装置１０から放射されるレーザー光を０次回折光、＋１次回折光及び−１次回折光に分離する機能を有する。
【００５３】
１／２波長板３３は、回折格子３１を通過して入射するレーザー光を、所定の方向（例えばＳ方向）に偏光する直線偏光のレーザー光に変換する。
【００５４】
ハーフミラー３６は、発光装置１０から放射されて回折格子３１等を経由するレーザー光を−Ｘ側に反射する一方、ディスク４８により反射されたレーザー光（戻り光）を＋Ｘ側に透過させる。ディスク４８で反射した戻り光は、１／４波長板の作用により一旦円偏光光に変換された後に再び直線偏光光に変換されたＰ方向の直線偏光光であるので、＋Ｘ方向に透過する。
【００５５】
１／４波長板３５は、直線偏光の光を円偏光の光に変換し、また逆に円偏光の光を直線偏光の光に変換する。即ち、発光装置１０から放出されたレーザー光が、−Ｘ方向に進行する際に円偏光光に変換される。更に、ディスク４８により反射されたレーザー光は、１／４波長板３５を＋Ｘ方向に通過することにより、円偏光から直線偏光に変換される。なお、１／４波長板３５をレーザー光が再び通過したときには、元のＳ方向の直線偏光光に変換されるのでなく、Ｐ方向の直線偏光光に変換される。
【００５６】
コリメートレンズ３４は、ハーフミラー３６にて反射されたレーザー光を平行光にする。更に、コリメートレンズ３４はＸ方向への変位を可能に設けられている。この様にすることで、温度変化に基づく対物レンズ３７の光学特性の劣化が補正可能となる。更には、ディスク４８の情報記録層を被覆するカバー層の厚さの違いや多層構造の光記録媒体における各情報記録層のカバー厚の違いによって生じる球面収差が補正される。
【００５７】
立ち上げミラー３２は、コリメートレンズ３４を透過したレーザー光が入射され、−Ｘ方向に進行するレーザー光を、＋Ｙ方向に反射する働きを有する。
【００５８】
対物レンズ３７は、立ち上げミラー３２の直上に配置されており、立ち上げミラー３２にてＹ方向に立ち上げられたレーザー光を、ディスク４８の信号記録面に合焦させる働きを有する。本形態では、対物レンズ３７は、ＢＤ、ＤＶＤおよびＣＤの記録再生に用いられる第１レーザー光、第２レーザー光および第３レーザー光で共用される。
【００５９】
ダイクロミラー３８は、特定の波長のレーザー光を反射し、その他の波長のレーザー光を透過させる。本形態では、ダイクロミラー３８は、ＤＶＤおよびＣＤに用いられる第２レーザー光および第３レーザー光を透過し、ＢＤに用いられる第１レーザー光を反射する。
【００６０】
アナモフィックレンズ４０はＤＶＤおよびＣＤに用いられる第２レーザー光および第３レーザー光に対して、非点収差を付与する。また、アナモフィックレンズ４６は、ＢＤに用いられる第１レーザー光に非点収差を付与する。
【００６１】
第１ＰＤＩＣ４２は、光検出器として機能する信号検出用のフォトダイオード集積回路素子であり、ＢＤ用の第１レーザー光を検出すると共に、フォーカスサーボ用およびトラッキングサーボに用いられる。
【００６２】
第２ＰＤＩＣ４４は、ＤＶＤ用の第２レーザー光およびＣＤ用の第３レーザー光の信号検出を行うと共に、フォーカスサーボ用およびトラッキングサーボに用いられる。
【００６３】
ディスク４８は、信号記録面が樹脂層により所定厚さでカバーされた光記録媒体であり、ＢＤ規格のディスク、ＤＶＤ規格のディスクまたはＣＤ規格のディスクが採用される。
【００６４】
次に、以上のように構成された光ピックアップ装置の読み出し動作および書き込み動作を説明する。
【００６５】
先ず、ＢＤ用の第１レーザー光が通過する第１光学系の動作を説明すると、発光装置１０の第１発光源２４（図１（Ｂ）参照）から放射された第１レーザー光は、回折格子３１を通過することで０次回折光、＋１次回折光および−１次回折光に分離される。これは、第１ＰＤＩＣ４２にてトラッキングサーボを行うためである。
【００６６】
更に、第１レーザー光は、１／２波長板３３を通過することで所定の方向に偏光する直線偏光光に変換される。例えば第１レーザー光はここでＳ方向の直線偏光光に変換される。
【００６７】
Ｓ方向の直線偏光光に変換された第１レーザー光は、ハーフミラー３６にて−Ｘ方向に反射された後に、１／４波長板３５を通過することで円偏光光に変換される。
【００６８】
その後、円偏光光とされた第１レーザー光はコリメートレンズ３４により平行光に変換され、立ち上げミラー３２で反射されることによりディスク４８に対して垂直方向（＋Ｙ方向）に進行し、対物レンズ３７の屈折作用や回折作用により、ディスク４８の信号記録面に合焦する。
【００６９】
ディスク４８の信号記録面により反射された第１レーザー光（戻り光）は、対物レンズ３７、立ち上げミラー３２、コリメートレンズ３４および１／４波長板３５を通過してハーフミラー３６に到る。ここで、戻り光である第１レーザー光は、１／４波長板３５を通過する際に円偏光光からＰ方向の直線偏光光に変換される。従って、Ｐ方向の直線偏光光である第１レーザー光は、ハーフミラー３６を透過して＋Ｘ方向に進行する。
【００７０】
ハーフミラー３６を透過した第１レーザー光は、ダイクロミラー３８にて−Ｙ方向に反射された後に、アナモフィックレンズ４６で収差が付与され、第１ＰＤＩＣ４２に到達する。更に、第１ＰＤＩＣ４２で情報が読み出されると共に、フォーカスサーボおよびトラッキングサーボが行われる。
【００７１】
次に、ＤＶＤ用の第２レーザー光が通過する第２光学系の動作を説明する。先ず、第２レーザー光は、発光装置１０が備える第２発光源２６（図１（Ｂ）参照）から放射され、各種光学素子およびディスク４８を経由してダイクロミラー３８に到るまでの動作は、上記した第１レーザー光と同様である。
【００７２】
第２レーザー光は、ダイクロミラー３８にて反射されずに、ダイクロミラー３８を透過してアナモフィックレンズ４０にて収差を付与された後に、第２ＰＤＩＣ４４の表面に照射される。第１ＰＤＩＣ４２と同様に、第２ＰＤＩＣ４４で情報が読み出されると共に、フォーカスサーボおよびトラッキングサーボが行われる。
【００７３】
また、発光装置１０の第３発光源２８から放射されるＣＤ用の第３レーザー光の動作は、ＤＶＤ用の第２レーザー光と同様である。
【００７４】
本形態の要旨は、２つのＰＤＩＣを設けた点にある。
【００７５】
原理的には、１つの発光装置１０から放射される３つの波長が異なるレーザー光の検出を、１つのＰＤＩＣで行うことも可能である。しかしながら、図１（Ｂ）を参照すると、本形態では全ての発光源が１つのチップにモノリシックに作り込まれているのではなく、異なるチップに各発光源がハイブリッドに設けられている。具体的には、ＢＤ用のレーザー光を放射する第１発光源２４は第１発光チップ２０に設けられている。一方、ＤＶＤ用の第２レーザー光を放射する第２発光源およびＣＤ用の第３レーザー光を発光する第３発光源２８は、第２発光チップ２２に設けられている。そして、ハイブリッドに構成される両発光チップの位置精度はＸ方向に±２０μｍの誤差を含む。従って、発光装置１０から放射される３のレーザー光を、１つのＰＤＩＣで受光しようとすると、この位置精度の悪さに起因して、ＰＤＩＣの受光領域にレーザー光が適切に照射されなくなり、信号検出や各サーボ機構が適切に行われない恐れがある。
【００７６】
そこで本形態では、２つのＰＤＩＣ（第１ＰＤＩＣ４２および第２ＰＤＩＣ４４）を設け、第１ＰＤＩＣ４２でＢＤ用の第１レーザー光を検出し、第２ＰＤＩＣ４４でＤＶＤ用の第２レーザー光およびＣＤ用の第３レーザー光を検出している。具体的には、ディスク４８で反射した戻り光である第１レーザー光をダイクロミラー３８で−Ｙ方向に反射し、第１ＰＤＩＣ４２で検出している。更に、ディスク４８で反射した戻り光である第２レーザー光および第３レーザー光を、ダイクロミラー３８を透過させて、第２ＰＤＩＣ４４で検出している。
【００７７】
この様にすることで、各レーザー光を放射する発光装置１０の内部に於いて、図１（Ｂ）に示す第１発光チップ２０と第２発光チップ２２との相対的位置が若干ずれて配置されても、第１ＰＤＩＣ４２および第２ＰＤＩＣ４４の位置を補正することにより、各レーザー光が各ＰＤＩＣの受光領域に適切に照射されることとなる。各ＰＤＩＣの位置補正は、後に製造方法として詳述する。
【００７８】
＜第３の実施の形態：光ピックアップ装置の製造方法＞
図５から図８を参照して、第２の実施の形態で構成を説明した光ピックアップ装置の製造方法を説明する。
【００７９】
図５を参照して、本形態にかかる光ピックアップ装置の製造方法は、発光部の位置決めを行うステップＳ１１と、第２ＰＤＩＣ４４が備える第２受光領域（ＤＶＤ受光領域）の位置決めを行う第２ステップＳ１２と、第２ＰＤＩＣ４４が備える第３受光領域（ＣＤ受光領域）の位置決めを行う第３ステップＳ１３と、第１ＰＤＩＣ４２が備える第１受光領域（ＢＤ受光領域）の位置決めを行う第４ステップとを主要に備える。
【００８０】
ここで、上記した第１ＰＤＩＣ４２はＢＤ用の第１レーザー光を検出するものであり、第２ＰＤＩＣ４４とはＤＶＤ用の第２レーザー光およびＣＤ用の第３レーザー光を検出するものである。
【００８１】
また、図５に示すチャートでは、各ＰＤＩＣに含まれる受光領域の位置決めのみを示しているが、本形態の製造方法には、ＰＤＩＣ以外の素子を不図示のハウジングに備えるステップや、これら各素子の位置決めを行うステップも含まれる。
【００８２】
先ず、ステップＳ１１では、図６（Ａ）を参照して、３つのレーザー光を放射する発光装置１０の位置調整および固定を行う。
【００８３】
次に、図６を参照して、上記した第２受光領域（ＤＶＤ用受光領域）の位置決めを行う（ステップＳ１２）。図６（Ａ）は本工程に於ける光ピックアップ装置３０の全体を示す図であり、図６（Ｂ）は第２ＰＤＩＣ４４を−Ｘ方向から見た平面図である。
【００８４】
図６（Ａ）を参照して先ず、光ピックアップ装置３０を構成する各種光学素子は、所定位置に組み込まれてその位置が固定されている。具体的には、対物レンズ３７、立ち上げミラー３２、コリメートレンズ３４、１／４波長板３５、ハーフミラー３６、１／２波長板３３、回折格子３１、発光装置１０、ダイクロミラー３８およびアナモフィックレンズ４０、４６はその位置が調整された後に固定されている。
【００８５】
本形態では、これらの光学素子の位置固定を行った後に、第１ＰＤＩＣ４２および第２ＰＤＩＣ４４に含まれる受光領域の位置合わせを行い、両ＰＤＩＣの位置固定を行っている。
【００８６】
先ず、図６（Ｂ）を参照して、第２ＰＤＩＣ４４は、ＤＶＤ用の第２レーザー光およびＣＤ用の第３レーザー光に関して、信号検出、トラッキングサーボおよびフォーカスサーボを行うために、各レーザー光を受光する働きを有する。
【００８７】
具体的な構成としては、ＤＶＤ用の第２レーザー光を受光する３つの受光領域（５２Ａ、５２Ｂ、５２Ｃ）と、ＣＤ用の第３レーザー光を受光する３つの受光領域（５４Ａ、５４Ｂ、５４Ｃ）とを備えている。
【００８８】
ＤＶＤ受光領域５２Ａ、５２Ｂ、５２Ｃのそれぞれは、回折格子３１により回折された３つの第２レーザー光（０次回折光、＋１次回折光、−１次回折光）を受光するものであり、各受光領域は「田の字形状」に分割配置された４つのフォトダイオードから構成されている。
【００８９】
ＰＤＩＣを用いて行われるサーボには、ディスクの記録面垂直方向の焦点合わせの為のフォーカスサーボと、ディスクの記録トラックに追従する半径方向の位置合わせのためのトラッキングサーボとが含まれる。フォーカスサーボとしては非点収差法または差動非点収差法が採用可能である。そして、トラッキングサーボとしては、プッシュプル法、差動プッシュプル法、インラインＤＰＰ、ＤＰＰ法または３ビーム法が採用可能である。
【００９０】
本形態では、トラッキングサーボに差動プッシュプル法が採用され、フォーカスサーボに差動非点収差法が採用される。上記した何れの方法が採用された場合でも、本工程に於いては、各レーザー光が各受光領域の中心に配置されることが好ましい。
【００９１】
この様な構成は、同一の第２ＰＤＩＣ４４の主面に隣設されたＣＤ受光領域（５４Ａ、５４Ｂ、５４Ｃ）も同様である。
【００９２】
図６（Ａ）を参照して、本工程では、ＤＶＤ用の第２レーザー光を検出する第２ＰＤＩＣ４４に含まれる受光領域の、Ｚ−Ｙ平面上に於ける位置合わせを行う。具体的には、先ず、所定位置に固着された発光装置１０から、ＤＶＤ用の第２レーザー光を放射する。放射された第２レーザー光は、回折格子３１、１／２波長板３３、ハーフミラー３６の反射、１／４波長板３５、コリメートレンズ３４、立ち上げミラー３２および対物レンズ３７を経由してディスク４８の信号記録層に到達する。更に、ディスク４８の信号記録層にて反射された戻り光である第２レーザー光は、対物レンズ３７、立ち上げミラー３２、コリメートレンズ３４、１／４波長板３５を通過する。更に、戻り光である第２レーザー光は、ハーフミラー３６を透過して、ダイクロミラー３８におよびアナモフィックレンズ４０を通過して第２ＰＤＩＣ４４に到達する。
【００９３】
図６（Ｂ）では、第２ＰＤＩＣ４４のＤＶＤ受光領域５２Ａに照射された第２レーザー光の０次回折光であるＤＶＤメインビーム５０を円で示している。本工程では、この状態で、ＤＶＤメインビーム５０が、ＤＶＤ受光領域５２Ａの中心位置に照射されるように、第２ＰＤＩＣ４４のＺ−Ｙ平面上の位置が調整される。同時に、第２レーザー光の＋１次回折光がＤＶＤ受光領域５２Ｂの中心に照射され、更に、第２レーザー光の−１次回折光がＤＶＤ受光領域５２Ｃの中心に照射されるように、当該平面上の位置が調整される。これはトラッキングサーボおよび若しくはフォーカスサーボのためである。
【００９４】
更に本工程では、ＤＶＤ受光領域５２Ａの中心に照射されるＤＶＤメインビーム５０の形状が真円またはそれに近い形状となるように、第２ＰＤＩＣ４４のＸ方向（第２レーザー光の進行方向）の位置が調整される。この様にすることで、ＤＶＤ受光領域５２Ｂに照射される＋１次回折光およびＤＶＤ受光領域５２Ｃに照射される−１次回折光の形状も、真円またはそれに近い形状となる。
【００９５】
本工程で、ＤＶＤメインビーム５０の形状が真円形状となるように、第２ＰＤＩＣ４４のＸ方向の位置調整を行うことで、ＣＤ受光領域５４Ａ等に照射される第３レーザー光の形状も真円に近い形状となる。従って、ＣＤ受光領域５４Ａ等について個別にＸ方向に関する位置調整を行う手間が省かれる。
【００９６】
図７を参照して、次に、第３受光領域（ＣＤ用受光領域）の位置決めを行う工程（Ｓ１３）を説明する。図７の各図の状態は図６と同様である。
【００９７】
図７（Ａ）を参照して、本工程では、ＣＤ用の第３レーザー光を発光装置１０から放射し、各光学素子を経由させた後に、第２ＰＤＩＣ４４に到達させる。そして、この状態で第２ＰＤＩＣ４４の回転方向の位置決めを行う。
【００９８】
具体的には、図７（Ｂ）を参照して、先工程にて位置決めを行ったＤＶＤメインビームを受けるＤＶＤ受光領域５２Ａの中心を回転中心として、ＣＤメインビーム５６（第３レーザー光の０次回折光）が、ＣＤ受光領域５４Ａの中心に照射されるように、第２ＰＤＩＣ４４を回転する。この図では、調整回転を行う前の段階に於いてＣＤメインビーム５６が照射される箇所を点線にて示し、適切に回転調整された後に、ＣＤメインビーム５６がＣＤ受光領域５４Ａに照射される状態をハッチング付の実線にて示している。
【００９９】
上記したように、ＤＶＤ用の第２レーザー光とＣＤ用の第３レーザー光を発光させる２つの発光源は、図１（Ｂ）に示すような１つの発光チップにモノリシックに位置精度良く作り込まれている。同様に、１つの第２ＰＤＩＣ４４に作り込まれる各受光領域の相対的な位置精度も高い。従って、本工程の回転調整を行うことにより、Ｙ−Ｚ平面上で、ＤＶＤ受光領域５２Ａ以外の５つの受光領域の位置が適切に補正される。即ち、光ピックアップ装置３０が適切に動作している状況下に於いては、全ての受光領域の中心部分に円形形状の各レーザー光が照射される。
【０１００】
図８を参照して、次に、ＢＤ用のレーザー光を検出する第１ＰＤＩＣ４２の位置調整を行う（Ｓ１４）。図８（Ａ）は本工程に於ける光ピックアップ装置３０の状態を示す図であり、図８（Ｂ）は第１ＰＤＩＣ４２を＋Ｙ方向から見た平面図である。
【０１０１】
具体的には先ず、発光装置１０の第１発光チップ２０（図１（Ｂ）参照）からＢＤ用の第１レーザー光を放射する。放射された第１レーザー光は、回折格子３１、１／２波長板３３、ハーフミラー３６、１／４波長板３５、コリメートレンズ３４、立ち上げミラー３２および対物レンズ３７を経由してディスク４８の信号記録面に到達する。ディスク４８の信号記録面で反射して戻り光となった第１レーザー光は、対物レンズ３７、立ち上げミラー３２、コリメートレンズ３４および１／４波長板３５を経由してハーフミラー３６を透過し、ダイクロミラー３８に到達する。ダイクロミラー３８は、ＤＶＤやＣＤ用のレーザー光を透過させる一方、ＢＤ用の第１レーザー光を反射する。従って、第１レーザー光はダイクロミラー３８で−Ｙ方向に反射され、アナモフィックレンズ４６にて収差が付与された後に第１ＰＤＩＣ４２の受光面に照射される。本工程では、上記のように第１レーザー光を第１ＰＤＩＣ４２に照射状態で、その位置調整を行う。
【０１０２】
図８（Ｂ）を参照して、第１ＰＤＩＣ４２には、回折格子３１で回折される第１レーザー光の０次回折光、＋１次回折光および−１次回折光の各々を受光する、３つのＢＤ受光領域（５８Ａ、５８Ｂ、５８Ｃ）が設けられている。そして、各々のＢＤ受光領域は田の字状に分割された４つのフォトダイオードを備えている。
【０１０３】
本工程では、第１レーザー光の０次回折光であるＢＤメインビーム６０が、ＢＤ受光領域５８Ａの中心部分で略円形を呈するように、第１ＰＤＩＣ４２の位置調整が行われる。ここで、第１ＰＤＩＣ４２の位置調整とは、第１レーザー光の進行方向であるＹ方向に沿う位置調整と、各受光領域が共通に配置される面であるＸ−Ｚ平面状での位置調整が含まれる。この様な位置調整を行うことにより、ＢＤに用いられる第１レーザー光を第１ＰＤＩＣ４２で良好に信号処理できると共に、フォーカスサーボおよびトラッキングサーボを良好に行うことが出来る。
【０１０４】
図１（Ｂ）を参照して、ＢＤ用のレーザー光を放射する第１発光チップ２０と、ＤＶＤ用の第２レーザー光およびＣＤ用の第３レーザー光を放射する第２発光チップ２２との位置精度は比較的大きな誤差を含むので、これらの発光チップから放射されるレーザー光同士の位置精度も良くない。従って、両チップから放射される全てのレーザー光を１つのＰＤＩＣで検出しようとすると、レーザー光同士の位置精度の悪さを、１つのＰＤＩＣの位置調整では吸収出来ない恐れがある。本形態では、第１発光チップ２０および第２発光チップ２２から発光される各レーザー光を、第１ＰＤＩＣ４２および第２ＰＤＩＣ４４で個別に検出し、それぞれについて位置調整を行っている。この様にすることで、発光装置１０から放射される３種のレーザー光を、精度良く検出すると共に適切にサーボ機構を動作させることが可能となる。
【符号の説明】
【０１０５】
１０   発光装置
１２   基板部
１４   被覆部
１６   ステム
１８   端子部
２０   第１発光チップ
２２   第２発光チップ
２４   第１発光源
２５   第１レーザー光
２６   第２発光源
２７   第２レーザー光
２８   第３発光源
２９   第３レーザー光
３０   光ピックアップ装置
３１   回折格子
３２   立ち上げミラー
３３   １／２波長板
３４   コリメートレンズ
３５   １／４波長板
３６   ハーフミラー
３７   対物レンズ
３８   ダイクロミラー
４０   アナモフィックレンズ
４２   第１ＰＤＩＣ
４４   第２ＰＤＩＣ
４６   アナモフィックレンズ
４８   ディスク
５０   ＤＶＤメインビーム
５２Ａ ＤＶＤ受光領域
５２Ｂ ＤＶＤ受光領域
５２Ｃ ＤＶＤ受光領域
５４Ａ ＣＤ受光領域
５４Ｂ ＣＤ受光領域
５４Ｃ ＣＤ受光領域
５６   ＣＤメインビーム
５８Ａ ＢＤ受光領域
５８Ｂ ＢＤ受光領域
５８Ｃ ＢＤ受光領域
６０   ＢＤメインビーム
【図１】
2011141937.tif 000003
【図２】
2011141937.tif 000004
【図３】
2011141937.tif 000005
【図４】
2011141937.tif 000006
【図５】
2011141937.tif 000007
【図６】
2011141937.tif 000008
【図７】
2011141937.tif 000009
【図８】
2011141937.tif 000010